(57)【特許請求の範囲】
【請求項１】
乗客コンベアの乗降口の床下部に形成した機械室と、
建屋の床面に隣接して前記乗降口の床面に配され、前記機械室を閉塞する取り外し自在の乗降板と、
当該乗降板を支持する前記乗客コンベアの機枠とを備えてなる乗客コンベアにおいて、
前記乗降板は、その表面側に金属板とその裏面に配する樹脂材又はゴム材からなるクッション効果及び滑り止め効果がある軟性板とからなる表面板を備え、
前記金属板は、打ち抜き部を有し、
前記軟性板は、前記金属板の打ち抜き部に嵌合し、金属板表面から突出する複数の凸部が金属板裏面側に位置する軟性板のベース部と一体形成されてなる
ことを特徴とする乗客コンベア。
【請求項２】
前記乗降板は、その表面板の裏面に裏打ち板を配し、当該裏打ち板と前記金属板とにより前記軟性板が挟み込まれるように構成してなる
ことを特徴とする請求項１に記載の乗客コンベア。
【請求項３】
前記金属板の色と前記軟性板の凸部の色とが異なっている
ことを特徴とする請求項１又は２に記載の乗客コンベア。
【請求項４】
前記軟性板は、その凸部の色が少なくとも２種類以上で構成されている
ことを特徴とする請求項１〜３のいずれか１項に記載の乗客コンベア。
【請求項５】
前記軟性板は、建屋の床面に隣接する乗降板の端部側における凸部上面が建屋の床面側に向かって下降する傾斜面になっており、
前記傾斜面を除く軟性板の凸部上面は水平面になっている
ことを特徴とする請求項１〜４のいずれか１項に記載の乗客コンベア。
【請求項６】
前記軟性板は、その凸部の高さが非均一である
ことを特徴とする請求項１〜５のいずれか１項に記載の乗客コンベア。
【請求項７】
前記軟性板は、その凸部の硬度が少なくとも２種類以上で構成されている
ことを特徴とする請求項１〜６のいずれか１項に記載の乗客コンベア。
【発明の詳細な説明】
【技術分野】
【０００１】
本発明の実施形態は、乗客コンベアに関する。
【背景技術】
【０００２】
乗客コンベア、例えばエスカレータは、建屋の下階と上階との間に架け渡して据え付けられており、エスカレータの上下の端部の乗降口を通って乗客がエスカレータを乗り降りする。乗降口の床部には、乗客が乗降口に進入するときに踏み込む金属製の乗降板が敷設されている。このようなエスカレータや動く歩道等の乗客コンベアの乗降口に敷設された乗降板に対して、その安全性を高めることが考えられている。
【０００３】
従来より、乗客コンベアの乗降口部分の安全性を高める方法として、カーペットやマット等の乗降口カバーで乗降口の乗降板表面を覆う構成が知られており、この構成により、乗客が転倒した際の金属面に対する衝撃を緩和させることが考えられている。
【０００４】
上記従来のように乗降口カバーで乗降板の表面を覆う構成の場合には、当該乗降口カバーがめくれると、これに乗客がつまずくおそれがある。また、乗降板の表面は、美観を感じさせる効果及び滑り止めの効果を果たすために幾何学的な凹凸模様が施されているのが一般的であるが、乗降口カバーで乗降板の表面を覆ってしまうと乗降板が本来備えている美観を損ね、また滑り止め効果を果たすことができないという問題があった。
【先行技術文献】
【特許文献】
【０００５】
【特許文献１】特開２０１０−１８４７８９号公報
【特許文献２】特開平１１−２１７１７３号公報
【発明の開示】
【発明が解決しようとする課題】
【０００６】
本発明が解決しようとする課題は、カーペットやマット等の乗降口カバーのようにめくれて乗客がつまずくことなく、また、乗降板表面の美観を損ねず、乗降板表面の滑り止め効果が発揮でき、かつ乗客が転倒した時の衝撃緩和が可能となる乗降板を備えた乗客コンベアを提供することにある。
【課題を解決するための手段】
【０００７】
本発明の実施形態に係る乗客コンベアは、乗客コンベアの乗降口の床下部に形成した機械室と、建屋の床面に隣接して前記乗降口の床面に配され、前記機械室を閉塞する取り外し自在の乗降板と、当該乗降板を支持する前記乗客コンベアの機枠とを備えてなる乗客コンベアにおいて、前記乗降板は、その表面側に金属板とその裏面に配する樹脂材又はゴム材からなるクッション効果及び滑り止め効果がある軟性板とからなる表面板を備え、前記金属板は打ち抜き部を有し、前記軟性板は、前記金属板の打ち抜き部に嵌合し、金属板表面から突出する複数の凸部が金属板裏面側に位置する軟性板のベース部と一体形成されてなることを特徴とする。
【図面の簡単な説明】
【０００８】
【図１】本発明の実施例１に係るエスカレータの全体図である。
【図２】図１に示すエスカレータにおける乗降板を示す平面図である。
【図３】図２のＡ部における部分拡大図である。
【図４】図３のＢ−Ｂ断面図及び分解図である。
【図５】図２におけ表示プレートの部分拡大図である。
【図６】本発明の実施例２に係るエスカレータの乗降板の断面図である。
【図７】本発明の実施例３に係るエスカレータの乗降板の断面図である。
【発明を実施するための形態】
【０００９】
本発明の実施形態に係る乗客コンベアは、乗降板の表面板を金属製の板（金属板）と軟性材製の板（軟性板）との二層構造とし、模様や数字、文字等の形状が打ち抜かれている金属板と、その下に前記金属板において打ち抜かれている模様や数字、文字の形状と同一形状の凸部を有する軟性板とを重ね合わせることで、軟性板の凸部を金属板表面から突出させたものである。図１にエスカレータの全体図、図２〜図７に本発明の乗降板の実施形態をそれぞれ示す。
【実施例１】
【００１０】
まず、本実施例１の乗降板を適用する乗客コンベアであるエスカレータについて説明する。図１に示したエスカレータ１の上階側の乗降口２ａには乗降板３ａが機枠８に取り付けられており、また、下階側の乗降口２ｂには乗降板３ｂが機枠８に取り付けられている。乗降板３ａ又は乗降板３ｂのうちの一方の乗降板から他方の乗降板にかけて無端状に連結されて移動する踏段７が配置されている。そして、乗降板３ａの下方には上部機械室４ａが設けられており、乗降板３ｂの下方には下部機械室４ｂが設けられている。そして、このエスカレータ１の保守点検作業を行う際には、作業者が機械室４ａ、４ｂ内に入り込み、モータ５や駆動チェーン６等の機器類の点検を行うことができるように、乗降板３ａ、３ｂが機枠８から取り外すことができるようになっている。
【００１１】
次に、本実施例１の乗降板３ａ、３ｂについて説明する。なお、上階側の乗降口２ａに取り付けられた乗降板３ａ及び下階側の乗降口２ｂに取り付けられた乗降板３ｂは、同一の構造であるので、上階側の乗降口２ａに取り付けられた乗降板３ａについてのみ説明し、乗降口２ｂに取り付けられた乗降板３ｂについては、当該説明を援用する。
【００１２】
図２に示すように、乗降板３ａは、第一乗降板３ｃと第二乗降板３ｄと第三乗降板３ｅとに分割して形成されており、これらが一体となって乗降板３ａが構成されている。第一乗降板３ｃにはコム１１が固定されており、第三乗降板３ｅには表示プレート１２が固定されている。そして、図３に示すように、それぞれの乗降板３ｃ、３ｄ、３ｅはいずれも規則正しく配置された模様形状で打ち抜かれた金属板９ａと金属板９ａ裏面に固定された軟性板１０ａとの二層構造をなす表面板を備えており、金属板９ａと軟性板１０ａとは異なる色により形成されている。なお、前記軟性板の裏面に裏打ち板が重ね合わされ、金属板と裏打ち板とがボルト止め等の固定方法により固定され、金属板と裏打ち板との間に軟性板が挟まれる形態で乗降板が構成される場合がある。
【００１３】
図４に示すように、金属板９ａには前記模様形状で打ち抜かれた打ち抜き部９ａ’が形成されており、軟性板１０ａには前記金属板９ａの打ち抜き部９ａ’により形成された模様形状と同一の模様形状で前記金属板９ａの打ち抜き部９ａ’に嵌合するように凸部１０ａ’が形成されている。そして、図４に示すように矢印Ａの方向に軟性板１０ａを金属板９ａに嵌合させれば第二乗降板３ｄの表面板が完成する。この軟性板１０ａにおける凸部１０ａ’は金属板９ａの板厚よりも高く形成され、金属板９ａの表面側に軟性板１０ａの凸部１０ａ’が突出する形状となっている。軟性板１０ａを形成する軟性材としては、樹脂材やゴム材を使用するのがクッション効果及び滑り止め効果を有する点で好適である。また、軟性板１０ａの凸部１０ａ’が金属板９ａから突出する突出高さは０．７ｍｍ〜５ｍｍが好適であり、０．７ｍｍ以下であるとクッション性が低下し、５ｍｍ以上であると乗降板を敷設する箇所の周囲の建屋の床面Ｆとの段差が大きくなる。金属板９ａと軟性板１０ａとの色彩は、本実施例においては例えば金属板９ａの色彩を黒色とし、軟性板１０ａの色彩を灰色とするが、これに限られるものではない。
【００１４】
また、図５に示すように、表示プレート１２は、規則正しく配置された模様形状と階床数字とが打ち抜かれた打ち抜き部を有する金属板９ｂと、金属板９ｂの裏面に固定された軟性板１０ｂ及び軟性板１０ｃとにより形成されている。軟性板１０ｂには金属板９ｂの模様形状の打ち抜き部に嵌合するように金属板９ｂの模様形状と同一の模様形状をなす凸部が突出して形成されている。軟性板１０ｃには金属板９ｂの階床数字の打ち抜き部に嵌合するように金属板９ｂの階床数字と同一の階床数字をなす凸部が突出して形成されている。また、軟性板１０ｂは金属板９ｂと異なる色により形成されており、軟性板１０ｃは金属板９ｂ及び軟性板１０ｂと異なる色により形成されている。例えば、金属板９ｂが黒色、軟性板１０ｂが灰色、階床数字を表示する軟性板１０ｃが緑色のように色彩を変化させている。なお、階床数字を表示する軟性板１０ｃは、階床数字を目立たせるために黄色や赤色の色彩にしてもよい。さらに、これら軟性板１０ｂ、１０ｃの凸部は金属板９ｂの板厚よりも高く形成されており、金属板９ｂの表面側に軟性板１０ｂ及び１０ｃの凸部が突出する形状となっている。
【００１５】
次に、上述のように構成された本実施例１の乗降板３の作用について説明する。上述のように構成したことにより、乗降板３の表面に軟性板１０ａ、１０ｂ、１０ｃの凸部が突出しているので、乗客が転倒した際に、当該軟性板１０ａ、１０ｂ、１０ｃの凸部により転倒時の身体に対する衝撃が緩和される。また、カーペットやマット等の乗降口カバーにより乗降板を覆う必要がないので、従来の問題となっていた乗降板の美観を損なうことが解消され、かつ、乗降口カバーのめくれによる転倒事故を回避することが可能となる。さらに、軟性板１０ｃを軟性板１０ｂと異なる色で構成したことで階床数字を目立たせることが可能となる。
【００１６】
上記のように、本実施例１の乗降板３は、乗降時における乗客の転倒による傷害度を軽減でき、乗降板本来の美観を発揮し、かつ、従来の乗降口カバーのめくれによる転倒事故が発生しない利点がある。また、軟性板１０ｃを軟性板１０ｂと異なる色で構成したことで軟性板１０ｃに表示した階床数字を乗客に容易に認識させるので、階床を誤認するおそれがなくなる利点がある。なお、本実施例では、模様形状と階床数字とを軟性板で構成したが、その他にも、標章等の文字や運転方向を示す矢印等の表示を軟性板で構成することが可能である。また、乗降板は、これを構成する金属板が軟性板よりも高さが低いため使用により摩耗するおそれはないが、軟性板が長期間の使用により摩耗した場合、軟性板の裏面に裏打ち板を設けて該裏打ち板と金属板とを固定し、その間に軟性板を挟むように構成すれば、裏打ち板と金属板との固定を解除して裏打ち板と金属板とを分解するだけで、軟性板を容易に取り替えることができる利点がある。
【実施例２】
【００１７】
図６は実施例２に係る乗降板の図である。本実施例２は実施例１と基本的な構成は同じで、異なる点は金属板９ａから突出している軟性板１０ｄの凸部１０ｄ’が乗降板の端部の凸部１０ｄ’’では斜め形状になっており、前記乗降板の端部の凸部１０ｄ’’を除く内方の凸部１０ｄ’では平らになっていることである。
【００１８】
すなわち、前記軟性板１０ｄは、乗降板を敷設する周辺の建屋の床面Ｆに隣接する乗降板の端部側における凸部１０ｄ’’の上面が建屋の床面Ｆ側に向かって下降する傾斜面にて形成されており、前記凸部１０ｄ’’の傾斜面を除く凸部１０ｄ’の上面は水平面にて形成されている。
【００１９】
乗降板３の軟性板１０ｄの凸部１０ｄ’を高くした場合、建屋側又は踏段と軟性板の凸部との段差が大きくなり、この段差に乗客がつまずくことが考えられる。しかしながら、本実施例のように段差が生じる境界部分の凸部１０ｄ’’を傾斜面とすることにより、建屋側又は踏段との境界部分でつまずくことを回避することが可能となる。
【００２０】
したがって、本実施例２は、実施例１と同様の効果に加えて、乗降時の建屋側又は踏段との境界部分において軟性板の凸部との段差が無くなり、つまずきによる転倒をより一層防止することができるので、安全性がさらに向上する。
【実施例３】
【００２１】
図７は実施例３に係る乗降板の図である。本実施例３は請求項１と基本的な構成は同じで、異なる点は金属板９ａから突出している軟性板の凸部の高さを非均一にしたものである。例えば、下降運転のエスカレータについて下階側乗り込み口の建屋側の軟性板、又は、上昇運転の上階乗り込み口の建屋側の軟性板において、その軟性板１０ｆの凸部１０ｆ’を他の軟性板１０ｅの凸部１０ｅ’よりわずかに高くした構成である。さらに、前記軟性板１０ｆの凸部１０ｆ’を他の軟性板１０ｅの凸部１０ｅ’より硬度が高い材質のものを使用した。なお、つまずき防止の点から、凸部の高低差は、表面に凸部のある視覚障害者誘導ブロックの凸部の高さ、例えば５ｍｍ程度とするのが好ましく、また、硬度差については、踏みつけた際に若干の異物感を感じさせる程度にするのが好ましい。
【００２２】
上記のように乗降板３の軟性板１０ｆの凸部１０ｆ’を軟性板１０ｅの他の凸部１０ｅ’よりも高く構成し、かつ硬度を変化させる構成としたことにより、乗り込もうとするエスカレータの運転方向が逆であるか否かを乗降板を踏みつける足の感覚で認識することが可能となる。
【００２３】
したがって、本実施例３は実施例１と同様の効果に加えて、エスカレータの運転方向を、乗降板を踏みつける足の感覚で知ることでき、乗客がエスカレータに逆進入することを防止することが可能となる。
【００２４】
なお、本実施例はエスカレータを乗客コンベアとして説明したが、動く歩道に対しても適用できるものである。
【００２５】
また、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２６】
１…………エスカレータ
２ａ………上階側の乗降口
２ｂ………下階側の乗降口
３ａ………上階側の乗降板
３ｂ………下階側の乗降板
３ｃ………第一乗降板
３ｄ………第二乗降板
３ｅ………第三乗降板
４ａ………上部機械室
４ｂ………下部機械室
５…………モータ
６…………駆動チェーン
７…………踏段
８…………機枠
９ａ………金属板
９ａ’……打ち抜き部
９ｂ………金属板
１０ａ………軟性板
１０ａ’……凸部
１０ｂ………軟性板
１０ｃ………軟性板
１０ｄ………軟性板
１０ｄ’……内方の凸部
１０ｄ’’…端部の凸部
１０ｅ………軟性板
１０ｅ’……凸部
１０ｆ………軟性板
１０ｆ’……凸部
１１…………コム
１２…………表示プレート
【図１】
0005550678.tif 000002
【図２】
0005550678.tif 000003
【図３】
0005550678.tif 000004
【図４】
0005550678.tif 000005
【図５】
0005550678.tif 000006
【図６】
0005550678.tif 000007
【図７】
0005550678.tif 000008